(57)【要約】【課題】患部の帯電状態を正常化させ、マッサージ効果をより高くする磁気マッサージ器を提供することを目的とする。【解決手段】把持部と、この把持部の先端に装着された磁気ヘッドとを有する磁気マッサージ器に、複数の永久磁石を上記振動ヘッドの表面に、これから突出して並設する。これらの永久磁石の突出端の磁極を、その並んだ方向においてＮ極とＳ極とが互い違いになるように設ける。これらの永久磁石を、キャップの底部に載置し、樹脂で固着する。その後、キャップの開口端を曲面加工し、バンドで、上記振動ヘッドに巻装する。【選択図】図１
0003149734.tif 000002
【実用新案登録請求の範囲】
【請求項１】
把持部と、
この把持部の先端に装着された振動ヘッドとを有する磁気マッサージ器において、
上記振動ヘッドの表面にこれから突出して複数の永久磁石が並設され、
これらの永久磁石の突出端の磁極は、その並んだ方向においてＮ極とＳ極とが互い違いになるように設けられた磁気マッサージ器。
【請求項２】
上記振動ヘッドは、所定の曲率で湾曲した外面を有し、
有底円筒体のキャップの底部に上記永久磁石を載置し、樹脂で固着し、上記曲率で湾曲するように開口端面を加工し、
このキャップの開口端面と、上記振動ヘッドの外面とが密着するように、このキャップがバンドでこの振動ヘッドの外面に巻装された請求項１に記載の磁気マッサージ器。
【考案の詳細な説明】
【技術分野】
【０００１】
本考案は、磁気マッサージ器、特に振動ヘッドに複数の磁石を突設した磁気マッサージ器に関する。
【背景技術】
【０００２】
最近、パソコンの操作など、長時間にわたって同じ姿勢で作業を行うことが多くなったことから、首や肩が凝り固まり、疲労感を日常的に感じる人が増加する傾向にある。
従来、振動によって凝り固まった患部を揉みほぐし、磁気によって患部の血行を促進することにより、疲労感を解消するようにした磁気振動マッサージ具が提案されている。例えば、マッサージ用バイブレータの振動部材に永久磁石をとりつけ、その先端がＮ極になるように取り付けた磁気マッサージ器（特許文献１）が知られている。
【先行技術文献】
【特許文献】
【０００３】
【特許文献１】実開平３−３３４１号公報
【考案の概要】
【考案が解決しようとする課題】
【０００４】
しかしながら、特許文献１に記載の磁気マッサージ器は、Ｎ極のみが患部に接するため、患部がＳ極となり、十分な血行促進によるマッサージ効果を得ることができなかった。
【０００５】
そこで、発明者は、鋭意研究の結果、患部の表層部はプラス極またはマイナス極の何れか一方に帯電した状態であることを知見した。患部に当接する磁石をＮ極、Ｓ極のペアとすることで、患部の帯電状態を正常化させ、マッサージ効果をより高くすることを目的とする。
を目的とする。
【課題を解決するための手段】
【０００６】
請求項１に記載の考案は、把持部と、この把持部の先端に装着された振動ヘッドとを有する磁気マッサージ器において、上記振動ヘッドの表面にこれから突出して複数の永久磁石が並設され、これらの永久磁石の突出端の磁極は、その並んだ方向においてＮ極とＳ極とが互い違いになるように設けられた磁気マッサージ器である。
【０００７】
請求項１に記載の考案によれば、複数の永久磁石の先端はＮ極とＳ極とが互い違いになるように並設されている。このため、一方の極に帯電した患部にこの磁気ヘッドを押し当てることで、正常な帯電状態とするとともに、磁気ヘッドによるマッサージ効果を付与することとなる。
【０００８】
請求項２に記載の考案は、上記振動ヘッドは、所定の曲率で湾曲した外面を有し、有底円筒体のキャップの底部に上記永久磁石を載置し、樹脂で固着し、上記曲率で湾曲するように開口端面を加工し、このキャップの開口端面と、上記振動ヘッドの外面とが密着するように、このキャップがバンドでこの振動ヘッドの外面に巻装された請求項１に記載の磁気マッサージ器である。
【０００９】
請求項２に記載の考案によれば、キャップの底部に永久磁石を載置し、樹脂で固着する。キャップの開口端面は、略半楕円球体の振動ヘッドの外面に密着できるように曲面に加工する。このように加工したキャップはバンドで振動ヘッドに巻装される。このように振動ヘッドに磁石を容易に取り付けやすくすることが可能となる。また、磁気ヘッドの振動によっても、その取付強度が低下することもない。また、永久磁石を固定する樹脂と振動ヘッド外面との間にゴムまたはスポンジを介装してヘッドの振動を緩和してもよい。
【考案の効果】
【００１０】
本考案に係る磁気マッサージ器は、患部表層部の磁気分布をプラス極とマイナス極とが交互になるよう正常化することにより、血行促進に貢献し、振動によるマッサージ効果と相俟ってその相乗作用により、患部の治癒を促進することができる。
【図面の簡単な説明】
【００１１】
【図１】（ａ）実施例１に係る磁気マッサージ器を示す側面図である。（ｂ）実施例１に係る磁気マッサージ器を示す断面図である。
【図２】（ａ）本考案に係る磁気マッサージ器の振動ヘッドに永久磁石を２つ並設した時を示す正面図である。（ｂ）振動ヘッドに２つの永久磁石を並設する場合の永久磁石の配列の別の一例を示す正面図である。（ｃ）振動ヘッドに４つの永久磁石を併設する場合の永久磁石の配列の一例を示す正面図である。
【図３】実施例１に係る磁気マッサージ器における永久磁石を振動ヘッドに取り付ける部材を示す断面図である。
【考案を実施するための形態】
【００１２】
本考案に係る磁気マッサージ器の実施例を以下説明する。
【実施例１】
【００１３】
実施例１に係るマッサージ器１０は、図１〜図３に示すように、電動のバイブレータ１１の振動ヘッド１１Ａにキャップ１２が結束バンド１５により固定され、このキャップ１２の内部にネオジム磁石１３ａ，１３ｂが固着されている。
【００１４】
上記バイブレータ１１は所定長さ、所定径の円筒状の把持部１１Ｂと、この把持部１１Ｂの先端に装着された振動ヘッド１１Ａとを備えている。
この把持部１１Ｂは、合成樹脂材にて形成されている。この把持部１１Ｂには図１（ｂ）に示すように、上端側に回転軸１１ｂを突出させたモータ１１ｃが内蔵されている。このモータ１１ｃの回転軸１１ｂの先端には偏心錘１１ａが突設されており、この偏心錘１１ａが連続して回転することにより、振動ヘッド１１Ａを強制的に振動させる。
また、把持部１１Ｂの下端側には電源ケーブル１５が接続され、外部から電力をモータ１１ｃに供給する。そして、この把持部１１Ｂには、モータの動作を制御する図示しないスイッチが取り付けられている。
【００１５】
上記振動ヘッド１１Ａは、合成樹脂材で形成された略半楕円球体の部材である。この振動ヘッド１１Ａの内部に上記偏心錘１１ａが内蔵されている。
この振動ヘッド１１Ａの外面にキャップ１２が結束バンド１５にて巻装されている。
【００１６】
上記キャップ１２は、プラスチック製の有底円筒体で形成されている。このキャップ１２の直径は、後述するネオジム磁石１３ａ，１３ｂの直径より大きい。このキャップ１２の底部にネオジム磁石１３ａ，１３ｂが載置されている。そして、このキャップ１２の内部は、シリコン樹脂１４が注入、硬化されている。このキャップ１２の開口面は、上記振動ヘッド１１Ａの表面に密着できるように、この振動ヘッド１１Ａの曲率と同じ曲率で開口面を曲面に加工されている。
本実施例において、上記キャップ１２は２個設けられている。これらのキャップ１２は、連結部１５Ｂにより連結されている。この連結部の長さは２ｍｍである。
このキャップ１２の側部には、結束バンド１５が固定されている。
【００１７】
上記ネオジム磁石１３ａ，１３ｂは、上記キャップ１２の底部に固定されたものである。このネオジム磁石１３ａ，１３ｂは正面視して円形の薄い板状の磁石であり、その表面と裏面とに着磁したものである。
上記ネオジム磁石１３ａ，１３ｂは図２（ａ）に示すように２個ずつ有している。これらのネオジム磁石１３ａ，１３ｂは、把持部１１Ｂの長さ方向に対して垂直に並設されている。そして、これらのネオジム磁石１３ａ，１３ｂの表面の磁極はＮ極１３ａとＳ極１３ｂとが互い違いになるように並設される。
なお、図２（ｂ）のように２個のネオジム磁石１３ａ，１３ｂが、把持部１１Ｂの長さ方向に対して平行に並設されていてもよい。さらに、図２（ｃ）のように、複数のネオジム磁石１３ａ，１３ｂ磁石が格子状に並設されていてもよい。これらの場合においても、ネオジム磁石１３ａ，１３ｂの表面の磁極は、縦の列および横の列とにおいて、Ｎ極とＳ極とが互い違いになるように並設される。
【００１８】
上記シリコン樹脂１４は、即硬化性のエポキシ変性シリコン樹脂を用いている。このシリコン樹脂１４の代わりにアクリル樹脂などを用いることも可能である。
なお、硬化したシリコン樹脂１４の表面、つまりキャップ１２の開口面に薄いゴム１４Ａが貼着されている。この薄いゴム１４Ａが貼着されることによりこのシリコン樹脂１４の外面の摩耗を防止することができるとともに、この振動ヘッド１１Ａの密着性を向上させることができる。
【００１９】
上記結束バンド１５は、プラスチック製のバンドであり、表面には歯形状の突起が長さ方向に複数設けられている。このバンドの端部にはロック部材１５Ａが設けられており、結束バンド１５に形成された突起とロック部材１５Ａとにより固定される。
【００２０】
上記ネオジム磁石１３ａ，１３ｂが内蔵された上記キャップ１２と、上記連結棒１５Ｂと、上記結束バンド１５とが、一直線上に連結されている。これらが連結された状態で、上記バイブレータ１１の振動ヘッド１１Ａに巻装されている。
なお、この振動ヘッド１１Ａの振動方向と、上記ネオジム磁石１３ａ，１３ｂの突出方向とが同じになるように、上記キャップの取付位置を決定する。このように取り付けることにより、マッサージ効果を高めることができる。
【００２１】
上記の構成からなる磁気マッサージ器１０を用いて、首のマッサージを行う方法について説明する。
まず、振動ヘッド１１Ａに固定されたネオジム磁石１３ａ，１３ｂをマッサージを行う箇所に直接接触させる。
次に、把持部１１Ｂに取り付けられたスイッチを操作し、振動ヘッド１１Ａを振動させる。
振動ヘッド１１Ａが振動することにより、ネオジム磁石１３ａ，１３ｂが振動し、その結果、血行促進に寄与することで首のマッサージを快適に行うことができる。
【符号の説明】
【００２２】
１０  磁気マッサージ器、
１１Ａ  振動ヘッド、
１１Ｂ  把持部、
１２  キャップ、
１３ａ，１３ｂ  ネオジム磁石、
１４  シリコン樹脂、
１５  結束バンド。
【図１】
0003149734.tif 000003
【図２】
0003149734.tif 000004
【図３】
0003149734.tif 000005